(57)【要約】【課題】ボール後面と受け部との接触を安定させ、非筆記時にボール後面の中心を適正に前方に押圧でき、且つ、筆記時に円滑なボールの回転が得られるボールペンを提供する。【解決手段】ボール４の後方に、ボール４を前方に付勢し且つボール４を前端縁部３１の内面に密接させるスプリング５を設ける。スプリング５が、複数の巻回により形成されたコイル部５２と、コイル部５２の前端部に一体に連設されたロッド部５１とを備える。ロッド部５１の前端に、凹曲面６１を前面に備えた受け部６を設ける。凹曲面６１をボール４の後面に当接させる。受け部６の外径をロッド部５１の外径より大きく設定する。【選択図】  図３
2016221788.tif 000002
【特許請求の範囲】
【請求項１】
チップ本体の前端に内向きに前端縁部を設け、前記前端縁部の後方のチップ本体の前端近傍内面にボール受け座を設け、前記前端縁部と前記ボール受け座との間でボールを回転可能に抱持し、前記ボールの後方に、前記ボールを前方に付勢し且つ前記ボールを前記前端縁部の内面に密接させるスプリングを設けたボールペンであって、
前記スプリングが、複数の巻回により形成されたコイル部と、前記コイル部の前端部に一体に連設されたロッド部とを備え、前記ロッド部の前端に、凹曲面を前面に備えた受け部を設け、前記凹曲面を前記ボールの後面に当接させ、前記受け部の外径を前記ロッド部の外径より大きく設定したことを特徴とするボールペン。
【請求項２】
前記受け部の外径を前記ロッド部の外径の２倍より小さく設定した請求項１記載のボールペン。
【発明の詳細な説明】
【技術分野】
【０００１】
本発明は、ボールペンに関する。
【背景技術】
【０００２】
従来この種のボールペンにおいて、特許文献１には、チップ本体の先端に内向きの先端縁部を設け、前記先端縁部の後方のチップ本体の先端近傍内壁にボール受け座を設け、前記先端縁部と前記ボール受け座との間でボールを回転可能に抱持し、前記ボールの後方に、ロッド部を備えたスプリングを設け、前記ロッド部の先端が、前記ボール後面を前方に押圧し、前記ボールを先端縁部の内面に密接させるボールペンであって、前記ロッド部の先端に、ボール後面と接触する横断面リング状の受け部を一体に連設したことが開示されている。
【先行技術文献】
【特許文献】
【０００３】
【特許文献１】特開２００３−２６６９８５号公報
【発明の概要】
【発明が解決しようとする課題】
【０００４】
前記特許文献１のボールペンは、製造バラツキにより、ボール後面と適正にリング状に接触しないおそれがあり、非筆記時、スプリングのロッド部でボール後面の中心を適正に前方に押圧できないおそれがある。
【０００５】
また、前記特許文献１のボールペンは、筆記時、ボールが軸心から径方向に移動すると、ボール後面と受け座との接触が不安定となり、円滑なボールの回転が得られないおそれがある。
【０００６】
本発明は、前記従来の問題点を解決するものであり、ボール後面と受け部との接触を安定させ、非筆記時にボール後面の中心を適正に前方に押圧でき、且つ、筆記時に円滑なボールの回転が得られるボールペンを提供するものである。
【０００７】
尚、本発明において、「前」とはチップ本体側を指し、「後」とはその反対側を指す。
【課題を解決するための手段】
【０００８】
本願発明は、チップ本体３の前端に内向きに前端縁部３１を設け、前記前端縁部３１の後方のチップ本体３の前端近傍内面にボール受け座３２を設け、前記前端縁部３１と前記ボール受け座３２との間でボール４を回転可能に抱持し、前記ボール４の後方に、前記ボール４を前方に付勢し且つ前記ボール４を前記前端縁部３１の内面に密接させるスプリング５を設けたボールペンであって、前記スプリング５が、複数の巻回により形成されたコイル部５２と、前記コイル部５２の前端部に一体に連設されたロッド部５１とを備え、前記ロッド部５１の前端に、凹曲面６１を前面に備えた受け部６を設け、前記凹曲面６１を前記ボール４の後面に当接させ、前記受け部６の外径を前記ロッド部５１の外径より大きく設定したことを要件とする。
【０００９】
本願の第１の発明のボールペン１は、前記ロッド部５１の前端に、凹曲面６１を前面に備えた受け部６を設け、前記凹曲面６１を前記ボール４の後面に当接させ、前記受け部６の外径を前記ロッド部５１の外径より大きく設定したことにより、凹曲面６１とボール４後面との当接状態を、常時、安定して維持でき、非筆記時にボール４後面の中心を適正に前方に押圧でき、且つ、筆記時に円滑なボール４の回転が得られる。
【００１０】
本願の第２の発明は、前記第１の発明のボールペン１において、前記受け部６の外径を前記ロッド部５１の外径の２倍より小さく設定したことを要件とする。
【００１１】
前記第２の発明のボールペン１は、前記受け部６の外径を前記ロッド部５１の外径の２倍より小さく設定したことにより、受け部６の十分な耐久性が得られるとともに、受け部６を容易に形成できる。
【発明の効果】
【００１２】
本発明のボールペンによれば、ボール後面と受け部との接触を安定させ、非筆記時にボール後面の中心を適正に前方に押圧でき、且つ、筆記時に円滑なボールの回転が得られる。
【図面の簡単な説明】
【００１３】
【図１】本発明の実施の形態の縦断面図である。
【図２】図１の要部拡大縦断面図である。
【図３】図２の要部拡大縦断面図である。
【図４】図２のスプリンングの正面図である。
【発明を実施するための形態】
【００１４】
図１乃至図４に本発明の実施の形態を示す。
【００１５】
・ボールペン
本実施の形態のボールペン１は、前端部にボール４を回転可能に抱持したボールペンチップ２と、前記ボールペンチップ２の後部がその前部８１に圧入固着されたホルダー８と、前記ホルダー８の後部８３がその前端開口部に圧入固着されたインキ収容筒７と、前記チップ本体３の内部及びホルダー８の内部に収容配置されるスプリング５と、前記インキ収容筒７の後端開口部に圧入固着される尾栓９とからなる。前記尾栓９は、インキ収容筒７内と外気とを連通可能にする通気孔を有する
【００１６】
・ボールペンチップ
前記ボールペンチップ２は、チップ本体３とボール４とからなる。前記チップ本体３は、円筒状の金属製筒体よりなる。前記金属製筒体は、例えば、ＳＵＳ３０４、ＳＵＳ３０５、ＳＵＳ３２１等のオーステナイト系ステンレス鋼により得られる。前記チップ本体３の前端近傍内面には、内方への押圧変形により、複数（例えば、４個）の内方突起が周方向に等間隔に形成される。前記内方突起によりボール受け座３２が形成される。また、チップ本体３の前端には、周状に内方に押圧変形されることにより、内向きの前端縁部３１が形成される。前記ボール受け座３２の前面と前記前端縁部３１の後面との間にはボール４が回転可能に抱持される。前記内方突起の相互間には、中心部から径方向外方に延び且つ軸方向に貫通するインキ流通孔３３が形成される。即ち、前記ボール受け座３２には、前記インキ流通孔３３が形成される。尚、前記ボール受け座３２は、内方変形による複数の内方突起からなる構成の他、切削加工により金属製のチップ本体３の内面に形成される構成でもよい。
【００１７】
前記ボール４は、直径が、０．３ｍｍ〜０．７ｍｍ（好ましくは０．３ｍｍ〜０．５ｍｍ）の範囲のものが採用される。
【００１８】
・ホルダー
前記ホルダー８は合成樹脂（例えば、ポリプロピレン）の射出成形によって得られる筒状体である。前記ホルダー８は、ボールペンチップ２が取り付けられる先細状の前部８１と、インキ収容筒７の前端面に当接する鍔部８２と、インキ収容筒７の前端開口部に圧入される後部８３とからなる。前記ホルダー８の内面には、環状突起または周状に分散配置された複数の突起からなる係止壁部８ａが一体に形成される。
【００１９】
・インキ収容筒
前記インキ収容筒７は、合成樹脂（例えば、ポリプロピレン）の押出成形により得られる、両端が開口された円筒体である。前記インキ収容筒７の内部には、インキ７１と、該インキ７１の消費に伴って前進する高粘度流体からなる追従体７２が充填される。前記インキ７１は、例えば、低粘度の水性または油性インキ、剪断減粘性を有する水性または油性ゲルインキ等が挙げられる。前記追従体７２は、例えば、高粘度流体のみからなる構成、または高粘度流体中に固形物を収容させた構成が挙げられる。
【００２０】
・スプリング
前記スプリング５は、軸方向にストレート状に延びるロッド部５１と、前記ロッド部５１の後端に連設され且つ螺旋状の複数の巻回により形成されたコイル部５２とを備える。前記ロッド部５１と前記コイル部５２とが１本の金属線材（例えば、ステンレス鋼製線材）により一体に連設される。前記ロッド部５１の前端には、皿状またはカップ状に径方向に膨出された受け部６が一体に形成される。前記受け部６の前面には、球面状の凹曲面６１が形成される。前記凹曲面６１の曲率半径は、ボール４の曲率半径と略一致するかあるいはボール４の曲率半径より僅かに大きく設定される。それにより、前記受け部６の前面の凹曲面６１とボール４の後面との安定した当接状態が維持される。また、前記受け部６の後面に凸曲面が形成され、それにより、筆記時のボール４への円滑なインキ供給を可能にする。
【００２１】
前記受け部６は、金属線材からなるロッド部５１の前端に、塑性変形または溶融により形成される。それにより、スプリング５のロッド部５１の前端に、ボール４後面に当接する受け部６を、適用する線材の外径に影響されず、所望するサイズに自由に形成することができる。
【００２２】
また、前記コイル部５２の後端に、前記コイル部５２の外径より大きい外径を有する膨出部５３が一体に形成される。前記膨出部５３が前記ホルダー８内面の係止壁部８ａに係止される。
【００２３】
前記受け部６の外径は、ボール４より小さく、且つ、ロッド部５１の外径より大きく設定される。また、前記受け部６の外径は、インキ流通孔３３の中心部の内径（内方突起の頂部の仮想内接円の直径）より小さく設定される。また、前記受け部６の外径は、ロッド外径の２倍より小さく設定される。
【００２４】
本実施の形態のボールペン１は、前記ロッド部５１の前端に、凹曲面６１を前面に備えた受け部６を設け、前記凹曲面６１を前記ボール４の後面に当接させ、前記受け部６の外径を前記ロッド部５１の外径より大きく設定したことにより、凹曲面６１とボール４後面との当接状態を、常時、安定して維持でき、非筆記時にボール４後面の中心を適正に前方に押圧でき、且つ、筆記時に円滑なボール４の回転が得られる。
【００２５】
本実施の形態のボールペン１は、前記受け部６の外径を前記ロッド部５１の外径の２倍より小さく設定したことにより、受け部６の十分な耐久性が得られるとともに、受け部６を容易に形成できる。
【００２６】
１  ボールペン
２  ボールペンチップ  
３  チップ本体
３１  前端縁部
３２  ボール受け座(内方突起)
３３  インキ流通孔
４  ボール
５  スプリング
５１  ロッド部
５２  コイル部
５３  膨出部
６  受け部
６１  凹曲面
７  インキ収容筒
７１  インキ
７２  追従体
８  ホルダー
８ａ  係止壁部
８１  前部
８２  鍔部
８３  後部
９  尾栓
【図１】
2016221788.tif 000003
【図２】
2016221788.tif 000004
【図３】
2016221788.tif 000005
【図４】
2016221788.tif 000006